(57)【要約】【課題】安価に製造できしかも瞬時に情報が判別でき趣向性の高いおみくじキャップ付き容器を提供する。【解決手段】  口部が封緘ラベルで包装されるキャップ付き容器において、キャップのスカート壁外周面におみくじ情報を印刷し、キャップのスカート壁を含むボトル口部を不透明な封緘ラベルで封緘し、おみくじ情報７が封緘ラベルを剥離したときに初めて認識できる。【選択図】図１
0003147272.tif 000002
【実用新案登録請求の範囲】
【請求項１】
口部が封緘ラベルで包装されるキャップ付き容器において、封緘ラベルに覆われている部分のおみくじ情報が封緘ラベルを剥離したときに初めて認識できることを特徴とするおみくじキャップ付き容器。
【請求項２】
前記文字情報がキャップのスカート壁外周面に印刷されたものである請求項１に記載のおみくじキャップ付き容器。
【請求項３】
前記文字情報が前記封緘ラベルの裏側に印刷したものである請求項１に記載の文字情報を有するおみくじキャップ付き容器。
【考案の詳細な説明】
【技術分野】
【０００１】
本考案は、封緘ラベルで包装されるキャップ付き容器において、封緘ラベルを剥離したときにおみくじ情報が初めて認識できるおみくじ情報を有するキャップ付き容器に関するものである。
【背景技術】
【０００２】
居酒屋等でグループで飲食する場合、通常泡盛や焼酎等はボトル買いをしてその場で客自身が開封して、グラスに分与しているが、開封して初めて分かる例えばおみくじ等の付加情報（以下、単におみくじ情報という）をボトルに付与しておけば、趣向性を高めその場の雰囲気を盛り上げるに有効であると共に、顧客の好奇心を引き購買意欲を高めることができる。一方、近年他社商品との差別化を図り、趣向性を高めるために、容器に種々の付加情報を直接或いはＱＲ（二次元）コード等を施した製品が広く販売されている。例えば、特許文献１では、ボトルの口部外周面に模様やＱＲコード等の印刷を施すことにより、開封後に分かるようにした情報を提供するキャップ付き容器を提案している。また、特許文献２では、茶飲料用のペットボトルのシュリンクフィルムにくじ付きＱＲコードを印刷しておき、該ＱＲコードを内容物を飲み干した後にカメラ付き携帯電話により読み取ることにより、「アタリ」が分かるようにしたくじ付き封緘ラベルを提案している。
【０００３】
【特許文献１】特開２００６−２４８６００号公報
【特許文献２】特開２００６−３１７６５４号公報
【考案の開示】
【考案が解決しようとする課題】
【０００４】
上記のように従来提案されているもののうち容器口部に印刷を施すものは、通常印刷が施されていないボトル口部に特別に印刷するものであり、しかも安全性のためには可食性色素からなるインクを使用しなければならず、またシュリンクフィルムに印刷したものは、茶飲料を飲み干さなければＱＲコードが読み取れないようにするために、ＱＲコードの印刷色をお茶と類似の茶色或いは濃い色としなければならず、いずれもそのために特別なインクで印刷しなければならないなど、製造コストが増大する等の問題点があった。また、その構成も複雑であり、一目で瞬時に判別しがたいなどの問題点を有している。
そこで、本考案は、特別なインク等を使用せずに通常のキャップの製造工程で簡単に印刷でき安価に製造できしかも瞬時に情報が判別でき趣向性の高いキャップ付き容器を提供することを目的とするものである。
【課題を解決するための手段】
【０００５】
泡盛等の酒飲料の場合、通常キャップ螺着後にキャップのスカート壁を含む容器口部をシュリンクフィルムあるいは金属箔等の封緘ラベルで包装している実情に鑑み、本発明は該封緘ラベルを剥離して開封するに際して低コストで且つ瞬時に当否情報を判別できるようにすることによって、上記問題点を解決したものである。
即ち、本発明の文字情報を有するキャップ付き容器は、封緘ラベルで包装されるキャップ付き容器において、封緘ラベルに覆われている部分の文字情報が封緘ラベルを剥離したときに初めて認識できることを特徴とするものである。
【０００６】
上記文字情報を、キャップのスカート壁に記載することによって、該封緘ラベルを剥離して開封するに際してもっとも目につき易く、かつ通常開封に際しての注意事項や製造番号等の情報が印刷されているキャップのスカート壁外周部におみくじ情報を記載することによって、低コストで且つ瞬時に当否情報を判別でき、より趣向性を高めることができ望ましい。また、封緘ラベルの裏面におみくじ情報及びその他の文字情報を印刷することにより、より多くの情報を印刷できる。
【考案の効果】
【０００７】
以上のように、本考案の文字情報を有するキャップ付き容器は、封緘ラベルで覆われる部分の文字情報が封緘ラベルを剥離したときに初めて認識できることによって、消費者の好奇心を掻きたて購買意欲を高めることができる。また、おみくじやキャッチフレーズ等の文字情報を印字することによって、消費者に娯楽を提供し、低コストで効率的に自社の宣伝をすることができる。
【考案を実施するための最良の形態】
【０００８】
以下、図面に基づいて、本考案の実施形態を説明する。図１は、本実施形態に係るおみくじキャップ付き容器の開封に際して封緘ラベルを剥離除去した状態での正面図であり、図２は開封前のシュリンククフイルム等の封緘ラベルで覆われた本考案のキャップ付き容器の側面図で、図３（ａ）〜（ｄ）は、本実施形態におけるキャップの容器への巻締前のシェル状態でのキャップ正面図である。
【０００９】  本実施形態に係るおみくじキャップ付き容器１は、容器本体２、キャップ３、封緘ラベル４から構成されている。キャップ３は、図３に示すように、シェルの状態でスカート壁６の外周面に、たとえば大吉、小吉、或いは（公序良俗違反につき、不掲載）等のおみくじ情報７を予め印刷したものを特定の割合で混ぜて、キャッパーのキャップフィーダに供給することによって、所定の割合でおみくじ情報付きキャップが螺着されたボトル酒が出現することになる。なお、図３において（ａ）〜（ｃ）は、それぞれ異なるおみくじ情報７の例示であり、これに限定されるものではない。（ｄ）はおみくじ情報がないキャップである。また、８は通常のキャップのスカート壁外周面に記載される例えば「開栓の際は指を痛めぬようにご注意下さい」等の注意事項等の一般記載情報である。１１は、スカート壁下端に弱化部１０を介して設けられた未開封状態の判別を保証するためのタンパーエビデントバンドである。該タンパーエビデントバンドの外周面に文字情報を付すことも可能である。【００１０】
このようにしてキャップが螺着されたボトルは次の工程で、不透明なシュリンクフィルムやアルミ箔複合フィルムから構成された封緘ラベル４がスカート壁外周部からボトル口頚部に渡って、図２に示すように封緘されることによって、キャップのスカート壁外周面全体が覆われ、キャップに印刷されているおみくじ情報を認識することはできない。なお、図中９は、開封に際して封緘ラベルを剥離するためのミシン目である。
【００１１】
本実施形態のおみくじキャップ付き容器１は、以上のように形成され、図２に示すように口部が封緘ラベル４で覆われている状態では、キャップに印字されている文字は外から見ることはできないが、開封に際して封緘ラベル４を、ボトル口部から剥離除去することによって、スカート壁６の外周面が露出し、初めてキャップ３のスカート壁６に印字されている文字情報が認識できる。従って、おみくじ情報７が印刷されているか否か及びその内容を一見して判別できる。そして、例えばおみくじ情報の種類によって店側がおまけや景品等を付与するようにすれば、なお一層顧客の射幸心を掻き立てることができ、購買意欲を高めることができる。
【００１２】
図４は、本考案の他の実施形態に係るものであり、本実施形態ではキャップ外周面にくじ情報を印刷するのに代えて、封緘ラベル４の裏面におみくじ情報７を印刷した場合である。図４では、文字を全面に印字し一種のゲームを提供する実施例を示しているが、必ずしも全面に文字を印字する必要はなく、封緘ラベルの裏側の一部、適宜の位置におみくじやキャッチフレーズ等を印字することも可能である。
【産業上の利用可能性】
【００１３】
本考案は、酒その他の飲料詰ボトルにおいてボトル口部を封緘ラベルで封緘する容器に広く適用でき、顧客の購買意欲を高めるに有益である。
【図面の簡単な説明】
【００１４】
【図１】封緘ラベルを剥離した状態を示すおみくじ情報を有する本考案のキャップ付き容器の側面図である。
【図２】封緘ラベルで覆われた本考案のキャップ付き容器の側面図である。
【図３】本考案におけるキャップシエルの正面図である。
【図４】本考案の他の実施形態に係る封緘ラベルの展開図である。
【符号の説明】
【００１５】
１    おみくじキャップ付き容器
２    ボトル本体
３    キャップ
４    封緘ラベル
６    スカート壁
７    おみくじ情報
８    一般記載情報
９    ミシン目
１０  弱化線
１１  タンパーエビデントバンド
【図１】
0003147272.tif 000003
【図２】
0003147272.tif 000004
【図３】
0003147272.tif 000005
【図４】
0003147272.tif 000006
【手続補正書】
【提出日】平成20年10月27日(2008.10.27)
【手続補正１】
【補正対象書類名】明細書
【補正対象項目名】０００２
【補正方法】変更
【補正の内容】
【０００２】
居酒屋等でグループで飲食する場合、通常泡盛や焼酎等はボトル買いをしてその場で客自身が開封して、グラスに分与しているが、開封して初めて分かる例えばおみくじ等の付加情報（以下、単におみくじ情報という）をボトルに付与しておけば、趣向性を高めその場の雰囲気を盛り上げるに有効であると共に、顧客の好奇心を引き購買意欲を高めることができる。一方、近年他社商品との差別化を図り、趣向性を高めるために、容器に種々の付加情報を直接或いは二次元バーコードであるＱＲコード（登録商標）等を施した製品が広く販売されている。例えば、特許文献１では、ボトルの口部外周面に模様や二次元バーコード等の印刷を施すことにより、開封後に分かるようにした情報を提供するキャップ付き容器を提案している。また、特許文献２では、茶飲料用のペットボトルのシュリンクフィルムにくじ付き二次元バーコードを印刷しておき、該二次元バーコードを内容物を飲み干した後にカメラ付き携帯電話により読み取ることにより、「アタリ」が分かるようにしたくじ付き封緘ラベルを提案している。
【手続補正２】
【補正対象書類名】明細書
【補正対象項目名】０００４
【補正方法】変更
【補正の内容】
【０００４】
上記のように従来提案されているもののうち容器口部に印刷を施すものは、通常印刷が施されていないボトル口部に特別に印刷するものであり、しかも安全性のためには可食性色素からなるインクを使用しなければならず、またシュリンクフィルムに印刷したものは、茶飲料を飲み干さなければ二次元バーコードが読み取れないようにするために、二次元バーコードの印刷色をお茶と類似の茶色或いは濃い色としなければならず、いずれもそのために特別なインクで印刷しなければならないなど、製造コストが増大する等の問題点があった。また、その構成も複雑であり、一目で瞬時に判別しがたいなどの問題点を有している。
そこで、本考案は、特別なインク等を使用せずに通常のキャップの製造工程で簡単に印刷でき安価に製造できしかも瞬時に情報が判別でき趣向性の高いキャップ付き容器を提供することを目的とするものである。
【手続補正３】
【補正対象書類名】明細書
【補正対象項目名】０００９
【補正方法】変更
【補正の内容】
【０００９】
本実施形態に係るおみくじキャップ付き容器１は、容器本体２、キャップ３、封緘ラベル４から構成されている。キャップ３は、図３に示すように、シェルの状態でスカート壁６の外周面に、たとえば大吉、小吉等のおみくじ情報７を予め印刷したものを特定の割合で混ぜて、キャッパーのキャップフィーダに供給することによって、所定の割合でおみくじ情報付きキャップが螺着されたボトル酒が出現することになる。なお、図３において（ａ）〜（ｃ）は、それぞれ異なるおみくじ情報７の例示であり、これに限定されるものではない。（ｄ）はおみくじ情報がないキャップである。また、８は通常のキャップのスカート壁外周面に記載される例えば「開栓の際は指を痛めぬようにご注意下さい」等の注意事項等の一般記載情報である。１０は、スカート壁下端に弱化部１０を介して設けられた未開封状態の判別を保証するためのタンパーエビデントバンドである。該タンパエビデントバンドの外周面に文字情報を付すことも可能である。
【手続補正４】
【補正対象書類名】図面
【補正対象項目名】図３
【補正方法】変更
【補正の内容】
【図３】
0003147272.tif 000007
【手続補正５】
【補正対象書類名】図面
【補正対象項目名】図４
【補正方法】変更
【補正の内容】
【図４】
0003147272.tif 000008